(57)【要約】【課題】鮎の友釣り用仕掛けの後方側が下方に垂れるため後方側の釣り針が前方側の釣り針に比べ根掛かりしやすいこと。また、おとり鮎から後方に離れて追う野鮎は、追いがあまり活発でないため後方側の釣針に掛かっても掛かりが浅くすぐに釣り針が外れてしまうということである。【解決手段】釣り糸１の長手方向に魚を掛けるための複数の釣り針２，３を設けた鮎の友釣り用仕掛けＡにおいて、前記釣り針２，３は、最も前方側の釣り針２より最も後方側の釣り針３の方が、その針先部の先端と釣り糸１の距離が小さい。【選択図】        図２
2004147621.tif 000002
【特許請求の範囲】
【請求項１】
釣り糸の長手方向に魚を掛けるための複数の釣り針を設けた鮎の友釣り用仕掛けにおいて、前記釣り針は、最も前方側の釣り針より最も後方側の釣り針の方が、針先部の先端と釣り糸の距離が小さいことを特徴とする鮎の友釣り用仕掛け。
【請求項２】
釣り糸の長手方向に魚を掛けるための複数の釣り針を設けた鮎の友釣り用仕掛けにおいて、前記釣り針は、最も前方側の釣り針より最も後方側の釣り針の方が、釣り糸の長手方向の軸線に対する針先部の角度が大きいことを特徴とする鮎の友釣り用仕掛け。
【請求項３】
釣り糸の長手方向に魚を掛けるための複数の釣り針を設けた鮎の友釣り用仕掛けにおいて、前記釣り針は、最も前方側の釣り針より最も後方側の釣り針の方が、重量が軽いことを特徴とする鮎の友釣り用仕掛け。
【請求項４】
釣り糸の長手方向に魚を掛けるための複数の釣り針を設けた鮎の友釣り用仕掛けにおいて、前記釣り針は、最も前方側の釣り針より最も後方側の釣り針の方が、釣り針の最も下方となる位置と釣り糸の距離が小さいことを特徴とする鮎の友釣り用仕掛け。
【発明の詳細な説明】
【０００１】
【発明の属する技術分野】
本発明は、鮎の友釣り用仕掛けの改良に関する。
【０００２】
【従来の技術】
【特許文献１】実開平１−１０１３６６号公報
【０００３】
【特許文献１】には、釣り糸の長手方向に魚を掛けるための複数の釣り針を設けた鮎の友釣り用仕掛けが記載されている。
【０００４】
従来の鮎の友釣り用仕掛けは、特許文献１のように、釣り糸におとり鮎を取り付ける鼻環と、この鼻環の後方に、おとり鮎に沿って仕掛けが配されるようおとり鮎に仕掛けを仮止めするための逆針と、さらにその後方に魚を掛けるための複数の釣り針を有し、釣りを行っているときはこれらの釣り針が付いた部分がおとり鮎の後方側で流れに押されて水中になびいた状態となり、おとり鮎に近づいた野鮎が水中になびいた仕掛けの釣り針に掛かるようになっている。
【０００５】
ところが、釣り糸に沿って複数の釣り針を設けた鮎の友釣り用仕掛けは、後方側が下方に垂れ下がるため後方側の釣り針が前方側の釣り針に比べ根掛かりし易く、また、おとり鮎から後方に離れておとり鮎を追う野鮎は、追いがあまり活発でないため後方側の釣針に掛かっても掛かりが浅くすぐに釣り針から外れてしまうという欠点があった。
【０００６】
【発明が解決しようとする課題】
解決しようとする課題は、
特許文献１は、仕掛けの後方側が下方に垂れるため後方側の釣り針が前方側の釣り針に比べ根掛かりしやすいこと。
また、おとり鮎から後方に離れて追う野鮎は、追いがあまり活発でないため後方側の釣針に掛かっても掛かりが浅くすぐに釣り針が外れてしまうということである。
【０００７】
本発明の目的は前記欠点に鑑み、釣り糸に沿って複数の釣り針を設けた鮎の友釣り用仕掛けの後方側の釣り針が根掛かりし難く、また、後方側の釣針に掛かった野鮎もしっかり針掛かりしてすぐに釣り針が外れてしまうことのない鮎の友釣り用仕掛けを提供することである。
【０００８】
【課題を解決するための手段】
上記課題を解決するために、
請求項１に係わる本発明は、釣り糸の長手方向に魚を掛けるための複数の釣り針を設けた鮎の友釣り用仕掛けにおいて、前記釣り針は、最も前方側の釣り針より最も後方側の釣り針の方が、針先部の先端と釣り糸の距離が小さいことを要旨とするものである。
請求項２に係わる本発明は、釣り糸の長手方向に魚を掛けるための複数の釣り針を設けた鮎の友釣り用仕掛けにおいて、前記釣り針は、最も前方側の釣り針より最も後方側の釣り針の方が、釣り糸の長手方向の軸線に対する針先部の角度が大きいことを要旨とするものである。
請求項３に係わる本発明は、釣り糸の長手方向に魚を掛けるための複数の釣り針を設けた鮎の友釣り用仕掛けにおいて、前記釣り針は、最も前方側の釣り針より最も後方側の釣り針の方が、重量が軽いことを要旨とするものである。
請求項４に係わる本発明は、釣り糸の長手方向に魚を掛けるための複数の釣り針を設けた鮎の友釣り用仕掛けにおいて、前記釣り針は、最も前方側の釣り針より最も後方側の釣り針の方が、釣り針の最も下方となる位置と釣り糸の距離が小さいことを要旨とするものである。
【０００９】
【発明の実施の形態】
鮎の友釣りは、自分の縄張り内に侵入した他の鮎を追い払うという鮎の性質を利用した釣法で、釣り竿に取り付けた仕掛けの先端側におとり鮎を取り付けて、この仕掛けに仕組んだ釣り針におとり鮎を攻撃した野鮎が掛かるようになっている。
以下、図示の実施例によって本発明を説明すると、図１、図２は第１の実施形態で、図１は本発明の鮎の友釣り用仕掛けをおとり鮎に取り付けた正面図、図２はその鮎の友釣り用仕掛けの釣り針を設けた部分の拡大図である。
【００１０】
図１において、本件の鮎の友釣り用仕掛けＡ（以下仕掛けＡ）をおとり鮎Ｂを取り付けた状態で説明すると、仕掛けＡは、釣り糸１と、この釣り糸１に設けたおとり鮎を取り付ける鼻環５と、釣り糸１の鼻環５より後方側に取り付けた逆針４と、釣り糸１の逆針４よりさらに後方側に取り付けた野鮎を掛けるための２個の釣り針２，３を有している。
仕掛けＡの鼻環５側を仕掛けの前方側、その反対側の釣り糸１の端部側を仕掛けの後方側とすると、釣り針２が仕掛けＡの（最も）前方側に設けた釣り針で、釣り針３が仕掛けＡの（最も）後方側に設けた釣り針となる。
尚、この仕掛けＡの鼻環５に釣竿に取り付けた道糸１ａを結んで釣りが行われるが、道糸１ａをさらに延長してこの仕掛けＡの釣り糸１を一体に形成しても良いし、逆針４は仕掛けＡをおとり鮎に仮止めできれば他の構造のものでもよい。鼻環５については仕掛けＡにおとり鮎を保持できれば他のものでもよい（例えば目通し仕掛け用の糸でもよい）。
【００１１】
図２は、仕掛けＡの釣り針２，３を設けた部分の拡大図であって、それぞれ釣り針２，３は、糸状体からなる止め具２ｄ、３ｄで釣り糸１に括り付けられて、釣り糸１の軸線Ｃの長手方向に間隔を設けて、釣り糸１の下側側に取り付けられている。
これら釣り針２，３は、それぞれ釣り糸１に沿って添設され、止め具２ｄ，３ｄで括り付けられた直線状の軸部２ａ，３ａと、軸部２ａ，３ａの後方側から針先部２ｃ，３ｃにかけて前方側に向かうように湾曲する曲がり部２ｂ，３ｂと、先端に向かって先細り状となる針先部２ｃ，３ｃを有している。
【００１２】
そして、釣り針３の針先部３ｃの先端と釣り糸１の距離Ｈ２は、釣り針２の針先部２ｃの先端と釣り糸１との距離Ｈ１より小さい。
つまり、釣り針３の針先部３ｃの先端から釣り糸１に下ろした垂線の距離Ｈ２が、釣り針２の針先部２ｃの先端から釣り糸１に下ろした垂線の距離Ｈ１より小さい。
これによって、釣り針３は、釣り針２ほど野鮎の掛かりが良くないが、逆に根掛かりはしにくくなる。
【００１３】
また、釣り針３の針先部３ｃの釣り糸１の長手方向に対する角度θ２は、釣り針２の針先部２ｃの釣り糸１の長手方向に対する角度θ１より大きい。つまり、釣り針３の針先部３ｃの中心を通る軸線Ｄ２が釣り糸１の中心を通る長手方向の軸線Ｃとがなす角度が、釣り針２の針先部２ｃの中心を通る軸線Ｄ１が釣り糸１の中心を通る長手方向の軸線Ｃに対する角度θ１より大きい。
これによって、釣り針３は、釣り針２にほど野鮎の掛かりが良くないが、釣り針２に対し野鮎に大きな角度を持って針先部３ｃが刺さるため、野鮎が掛かった場合は外れにくく確実に釣り上げることができ、逆に根掛かりはしにくくなっている。
この針先部２ｃ，３ｃの角度θ１、θ２はその先端と、針先部の曲がり部側２ｍｍ位置の釣り針の断面における中心を結ぶ線分と釣り糸の長手方向の軸線Ｃのなす角度とする。
【００１４】
さらに、釣り針３は、釣り針２に比べ重量が軽くなっている。
これによって、釣り針３は流れによって浮き上がり易くなり、下方への垂れ下がりが小さくなって根掛かりがしにくくなる。
【００１５】
さらに、釣り針３の最も下方となる位置Ｐ２と釣り糸１の距離Ｈ４が釣り針２の最も下方となる位置Ｐ１と釣り糸１の距離Ｈ３より小さい。
すなわち、釣り針３の最も下方となる位置Ｐ２から釣り糸１に下ろした垂線の長さＨ４が釣り針２の最も下方となる位置Ｐ１から釣り糸１に下ろした垂線の長さＨ３の距離より小さい。
したがって、仕掛けＡの後方側が垂れ下がっても釣り針３は、川底に接触しにくくなっており、根掛かりがしにくくなる。
【００１６】
この仕掛けＡを用いて釣りが行われるときは、おとり鮎の鼻に鼻環５を挿通しておとり鮎Ｂを生きたまま保持し、次に針先の先端部が仕掛けの後方側を向くように釣り針１に糸状体で括り付けて取り付けられた逆針４をおとり鮎Ｂの尻付近に軽く差し止める。
この様にすると逆針４よりさらに後方側の釣り糸１に止着した釣り針２，３がおとり鮎Ｂのすぐ後方側に位置して、離れずに付いて回ることとなり、野鮎がおとり鮎Ｂを攻撃したときに釣り針２，３に掛かりやすくすることができる。
そして、仕掛けＡを取り付けたおとり鮎Ｂを水中に泳がせて釣りを行う。
尚、逆針４は、おとり鮎Ｂに仕掛けＡを仮止めするもので魚を掛けるための釣り針とは異なるものである。
仕掛けＡにおとり鮎Ｂを取り付けて泳がせると野鮎がおとり鮎Ｂを攻撃し、やがて仕掛けの後方側に設けた２個の釣り針のうち仕掛けの（最も）前方側の釣り針２又は（最も）後方側の釣り針３のいずれかに掛かることとなる。
【００１７】
この時、追いのよい野鮎は、積極的におとり鮎に近付いて攻撃するため比較的前方側の釣り針２に掛かることが多く、釣り針の掛かりが深くなるため外れにくい。
一方、追いのあまりよくない野鮎は、消極的におとり鮎から後方に離れて後を付いて回るように追うため比較的後方側の釣り針３に掛かることが多く、釣り針の掛かりも浅く外れやすい。
さらに、釣り糸の端部がある後方側が下方に垂れ下がりやすいため後方側の釣り針３が前方側の釣り針２に比べ根掛かりする危険性が大きい。
【００１８】
しかし、前記のように釣り針３の針先部３ｃの先端と釣り糸１の距離Ｈ２は、釣り針２の針先部２ｃの先端と釣り糸１との距離Ｈ１より小さいため、釣り針２は、積極的におとり鮎に近付いて攻撃する野鮎の掛かりが良く、一方、釣り針３は、釣り針２ほど野鮎の掛かりは良くないが、追いがあまり活発でなく、たとえ掛かっても針掛かりが浅いため釣り上げる前に外れてしまうような野鮎は初めから掛からないようにして、追いがあまり活発でない野鮎の中でも釣り針３に掛かった野鮎を距離Ｈ２を小さくすることでその野鮎の釣り針からの逃げ口を狭くして釣り針が外れず確実に釣り上げることが出来るようになると共に、逆に、障害物に当たったときに引っかかる可能性のある部分の距離（幅）Ｈ２は小さいため、釣り針３の根掛かりがしにくくなっている。
このため、釣果を向上することができると共に、根掛かりによる仕掛けの紛失を防止することができる。
【００１９】
また、釣り針３の針先部３ｃの釣り糸１の長手方向に対する角度θ２は、釣り針２の針先部２ｃの釣り糸１の長手方向に対する角度θ１より大きくすることで、釣り針３は、釣り針２に比べ野鮎の掛かりが良くないが、釣り針２よりも野鮎に大きな角度を持って針先部３ｃが刺さるため、追いがあまり活発でなく、たとえ掛かっても針掛かりが浅く釣り上げる前に外れてしまうような野鮎は初めから掛からないようにして、追いがあまり活発でない野鮎の中でも釣り針３が深く掛かった野鮎を確実に釣り上げることが出来るようになる。
しかも、釣り針３の針先部３ｃが釣り針２の針先部２ｃより川底の方向から外れた方向を向いており、また、釣り糸１が前方側に引かれて釣り針３が前方側の障害物に向かっていくときの針先部３ｃの方向は、釣り針２の針先部３ｃと比べ釣り糸１が前方側に引かれたときの軸線Ｃの方向との違いが大きくなっているため、根掛かりがしにくくなっている。
このため、釣果を向上することができると共に、根掛かりによる仕掛けの紛失を防止することができる。
【００２０】
さらに、釣り針３は、釣り針２に比べ重量が軽くなっている。
これによって、釣り針３は、水の流れによって揺れ動きやすくなり追いがあまり活発でない野鮎に対し釣り針３が触れる機会を多くすることができ、また、野鮎が釣り針３に触れた場合、針先部３ｃが刺さるように向きを変えるよう動きやすくなって野鮎の掛かりが良くなる。
しかも、釣り針３は流れによって浮き上がり易くなり、下方への垂れ下がりが小さくなって根掛かりしにくくなる。
このため、釣果を向上することができると共に、根掛かりによる仕掛けの紛失を防止することができる。
【００２１】
さらに、釣り針３の最も下方となる位置Ｐ２と釣り糸１の距離Ｈ４が釣り針２の最も下方となる位置Ｐ１と釣り糸１の距離Ｈ３より小さいため仕掛けＡの後方側が垂れ下がっても釣り針３は、川底に接触しにくくなっており、根掛かりがしにくく、仕掛けの紛失を防止することができる。
【００２２】
図３は第２の実施形態で、図１を本発明の鮎の友釣り用仕掛けをおとり鮎に取り付けた正面図とした第１の実施形態の変形例であって、その鮎の友釣り用仕掛けの釣り針を設けた部分の拡大図である。
【００２３】
第２の実施形態では、釣り針２，３のそれぞれの軸部２ａ，３ａの先端側に孔２ｆ，３ｆを有する環部２ｅ，３ｅを設け、釣り針２，３はそれぞれ孔２ｆ，３ｆに釣り糸１を挿通して釣り糸１に釣り糸１の長手方向（軸線Ｃ方向）に移動自在および釣り糸１の周方向に回動又は揺動可能に遊嵌されて仕掛けＡに取り付けられている。
【００２４】
釣り針２，３は、それぞれ環部２ｅ，３ｅの孔２ｆ，３ｆに釣り糸１が挿通されて保持され、その自重で釣り糸１の下方側に垂下している。
釣り糸１の長手方向（軸線Ｃ方向）に移動自在に遊嵌された釣り針２，３は、それぞれ合成樹脂を釣り糸１の外周に肉盛りした移動規制部１ａ，１ｂによって釣り糸１の長手方向（軸線Ｃ方向）の移動が１０ｍｍ以下になるようになっている。
他の構成は前記第１の実施形態と同一である。
【００２５】
この様に釣り針２，３を設けた仕掛けＡにおいては、釣り糸１を直線状にして釣り針２，３を垂下させた状態で、それぞれ釣り針２，３の針先部２ｃ，３ｃの先端と釣り糸１の距離Ｈ１，Ｈ２において、Ｈ２の方が小さく、また、釣り針３の針先部３ｃの釣り糸１の長手方向（軸線Ｃ方向）に対する角度θ２は、釣り針２の針先部２ｃの釣り糸１の長手方向に対する角度θ１より大きく、さらに、釣り針３は釣り針２より重量が軽く、釣り針３の最も下方となる位置Ｐ２と釣り糸１の距離Ｈ４が釣り針２の最も下方となる位置Ｐ１と釣り糸１の距離Ｈ３より小さい等の点で実施形態１と構成が共通している。
【００２６】
したがって、第２の実施形態においても第１の実施形態と同様に、釣り針２の野鮎の掛かりが良く、釣り針３は追いがあまり活発でない野鮎でも掛かった野鮎は確実な針掛かりをさせて釣り上げることが出来るようにし、しかも、根掛かりしにくくなっている。
また、釣り針２，３を釣り糸１の長手方向（軸線Ｃ方向）に移動自在または釣り糸１の周方向に揺動可能に遊嵌されて取り付けられているため、針先部２ｃ，３ｃに野鮎が触れたときに針先部２ｃ，３ｃが刺さりやすい方向に向きを変えるように動いて野鮎の掛かりが良くなると共に、それぞれ釣り針の最も下方となる位置のＰ１，Ｐ２が障害物に触れたときに釣り針２，３が向きを変えて針先部２ｃ，３ｃを障害物のない方向に向かせることができる。
また、釣り針３が釣り針２より軽いことおよび上記位置Ｐ１，Ｐ２が曲がり部３ｂにあることから、上記の状況でより向きを変えやすい。
尚、第２の実施形態における距離Ｈ１，Ｈ２，Ｈ３，Ｈ４および、角度θ１，θ２は釣り糸１を水平にし、釣り針１，２を垂下させた状態のものとする。
【００２７】
また、仕掛けＡは、各部を着脱自在に形成しても良く、例えば、図４のように第１の実施形態の変形例を示すと、逆針４に狭持部４ａを設けこの狭持部４ａに、釣り糸１ｂに釣り針２，３等の複数の釣り針を設けた仕掛けａを着脱自在に挟持してもよい。
この場合、仕掛けａは釣り糸１ｂに釣り針２，３等の複数の釣り針を設けたものとなり、仕掛けａの釣り糸１ｂの前方側を狭持部４ａの挿通口４ｂに差し込んだ後、一対の挟持片４ｃ，４ｃ間にその弾性に抗して差し入れて挟持することができ、又、これを取り外して仕掛けａを交換することも出来る。
したがって、本願は、逆針４及び鼻環５を有していない仕掛けａのみの鮎の友釣り用仕掛けも含む。
【００２８】
以上、第１の実施形態とその変形例および第２の実施形態においては、釣り針２，３の２個の釣り針を設けたが、さらに多くの釣り針を設けてもよい。
【００２９】
【発明の効果】
本発明は、以下に記載されるような効果を奏する。
【００３０】
請求項１により、追いがあまり活発でない野鮎が仕掛けの最も後方側の釣り針に掛かった時に確実に針掛かりさせて釣果を向上させることができると共に、最も前方側の釣り針より針先部の先端と釣り糸の距離が小さいため根掛かりを防止することができる。
請求項２により、追いがあまり活発でない野鮎が仕掛けの最も後方側の釣り針に掛かった時に確実に針掛かりさせて釣果を向上させることができると共に、最も前方側の釣り針より釣り糸に対する針先部の角度が大きいため根掛かりを防止することができる。
請求項３により、仕掛けの最も後方側の釣り針が動きやすくなって追いが活発でない野鮎を掛ける機会が多くなるため釣果を向上させることができると共に、仕掛け後方側の下方への垂れ下がりが小さくなって根掛かりを防止することができる。
請求項４により、仕掛け後方側が下方への垂れ下がっても仕掛けの最も後方側の釣り針が川底に接触しにくくなっているため根掛かりを防止することができる。
【図面の簡単な説明】
【図１】鮎の友釣り用仕掛けをおとり鮎に取り付けた正面図である。
【図２】第１の実施形態で、鮎の友釣り用仕掛けの釣り針を設けた部分の拡大図である。
【図３】第２の実施形態で、鮎の友釣り用仕掛けの釣り針を設けた部分の拡大図である。
【図４】第１の実施形態の変形例で、鮎の友釣り用仕掛けの釣り針を設けた部分の拡大図である。
【符号の説明】
Ａ、ａ  鮎の友釣り用仕掛け
Ｂ  おとり鮎
１、１ａ  釣り糸
２、３  釣り針
４  逆針
５  鼻環
【図１】
2004147621.tif 000003
【図２】
2004147621.tif 000004
【図３】
2004147621.tif 000005
【図４】
2004147621.tif 000006